(57)【要約】【課題】無線基地局と無線端末との間で無線通信が行われている場合に電波干渉を抑制する。【解決手段】無線基地局（２００ｂ）は、当該無線基地局（２００ｂ）と他の無線基地局（２００ａ）との間における電波干渉を検出する検出手段（２０２、２０５）と、電波干渉が検出された場合に、当該無線基地局と無線通信を行っている無線端末（３００ａ）の状態を、当該無線基地局と無線端末との間の通信コネクションを確立したままで当該無線基地局と無線端末との間で使用される周波数を切り替える切替状態に遷移させる遷移手段（２０７）とを備える。【選択図】図７
2011130096.tif 000002
【特許請求の範囲】
【請求項１】
無線端末と無線通信を行う無線基地局であって、
当該無線基地局と他の無線基地局との間における電波干渉を検出する検出手段と、
前記電波干渉が検出された場合に、当該無線基地局と無線通信を行っている前記無線端末の状態を、当該無線基地局と前記無線端末との間の通信コネクションを確立したままで当該無線基地局と前記無線端末との間で使用される周波数を切り替える切替状態に遷移させる遷移手段と
を備えることを特徴とする無線基地局。
【請求項２】
前記遷移手段は、ＲＲＣ：Physical Channel Reconfigurationメッセージを前記無線端末に対して送信することで、当該無線基地局と無線通信を行っている前記無線端末の状態を前記切替状態に遷移させることを特徴とする請求項１に記載の無線基地局。
【請求項３】
前記遷移手段は、切り替え後の周波数及び当該周波数の切替タイミングの少なくとも一方を示す切替情報を含む前記ＲＲＣメッセージを前記無線端末に対して送信することを特徴とする請求項２に記載の無線基地局。
【請求項４】
前記切替状態は、ＣＥＬＬ＿ＰＣＨ（Cell Paging Channel）状態又はＣＥＬＬ＿ＦＡＣＨ（Cell Forward Access Channel）状態であることを特徴とする請求項１から３のいずれか一項に記載の無線基地局。
【請求項５】
無線端末と無線通信を行う無線基地局における通信方法であって、
当該無線基地局と他の無線基地局との間における電波干渉を検出する検出工程と、
前記電波干渉が検出された場合に、当該無線基地局と無線通信を行っている前記無線端末の状態を、当該無線基地局と前記無線端末との間の通信コネクションを確立したままで当該無線基地局と前記無線端末との間で使用される周波数を切り替える切替状態に遷移させる遷移工程と
を備えることを特徴とする通信方法。
【発明の詳細な説明】
【技術分野】
【０００１】
本発明は、例えば無線端末との間で無線通信を行う無線基地局、並びにこのような無線基地局における通信方法の技術分野に関する。
【背景技術】
【０００２】
携帯電話システム等の無線通信システムで使用される無線基地局として、カバーエリア（つまり、セル半径）が数十メートル程度となる極めて小規模な無線基地局が提案されている。このような小規模な無線基地局はＨｏｍｅ  ＮｏｄｅＢ（或いは、ＨＮＢ）と呼ばれ、このような小規模な無線基地局によって形成されるセルは、例えば「フェムトセル」と呼ばれている。フェムトセルのセル半径は、一般に「マクロセル」と呼ばれているセル半径が数ｋｍ〜１０ｋｍ程度のセルや、「マイクロセル」と呼ばれているセル半径が数百ｍ〜１ｋｍ程度のセルと比べて極めて小さい。
【０００３】
小規模な無線基地局（以降、“ＨＮＢ”と称する）は、各ユーザの自宅内に配置されることが想定されている。ここで、マンション等の集合住宅においては、ＨＮＢが配置された住居に隣接する又は近接する住居に、他のＨＮＢが更に配置されることも十分に想定される。この場合、ある住宅に配置されたＨＮＢが使用する周波数と隣接する住宅に配置されたＨＮＢが使用する周波数とが干渉してしまうことがあり得る。このような干渉（つまり、電波干渉）は、好適な無線通信にとっては好ましくないため、電波干渉を抑制することが望ましい。
【０００４】
電波干渉を抑制するための対策として、移動端末と相手側無線基地局との間で無線通信を行う前に周辺無線基地局の無線リソースの使用状況を移動端末自身が相手側無線基地局に対して逐次通知すると共に、周辺無線基地局が使用している無線リソース以外の無線リソースを相手側無線基地局が使用する技術が一例としてあげられる。
【先行技術文献】
【特許文献】
【０００５】
【特許文献１】特開２００８−２７８２６５号公報
【発明の概要】
【発明が解決しようとする課題】
【０００６】
しかしながら、上述した技術は、移動端末と無線基地局とが実際に無線通信を行うに先立って行われる初期動作によって電波干渉を抑制する対策である。つまり、上述した技術は、移動端末と無線基地局との間のコネクションがまだ確立していない初期状態の段階で電波干渉を予め抑制する対策である。従って、移動端末と無線基地局とが実際に無線通信を行っている時点での電波干渉の抑制を行うことができない。
【０００７】
また、ＨＮＢ（つまり、フェムトセルをカバーする無線基地局）に限らず、マクロセルやマイクロセル等をカバーする各種無線基地局についても同様に電波干渉が生ずる。このため、マクロセルやマイクロセル等をカバーする各種無線基地局についても同様に、移動端末と無線基地局とが実際に無線通信を行っている時点での電波干渉の抑制を行うことができない。
【０００８】
本発明が解決しようとする課題には上記のようなものが一例として挙げられる。本発明は、例えば無線基地局と無線端末との間で無線通信が行われている場合に、電波干渉を抑制することが可能な無線基地局及び通信方法を提供することを目的とする。
【課題を解決するための手段】
【０００９】
上記課題は、検出手段と遷移手段とを備える無線基地局によって解決され得る。
【００１０】
検出手段は、当該無線基地局と他の無線基地局との間における電波干渉を検出する。このとき、検出手段は、他の無線基地局から受ける電波干渉の程度を直接検出することで、当該無線基地局と他の無線基地局との間における電波干渉を検出してもよい。或いは、検出手段は、無線基地局との間で無線通信を行う移動端末から送信される電波干渉に関連するメッセージを受信することで、当該無線基地局と他の無線基地局との間における電波干渉を検出してもよい。つまり、検出手段は、何らかの方法により電波干渉を検出することができれば足りる。
【００１１】
遷移手段は、検出手段によって電波干渉が検出された場合（つまり、当該無線基地局と他の無線基地局との間に電波干渉が発生していると検出された場合）に、当該無線基地局と無線通信を行っている無線端末の状態を、当該無線基地局と前記無線端末との間の通信コネクションを確立したままで当該無線基地局と前記無線端末との間で使用される周波数を切り替える切替状態に遷移させる。
【００１２】
上記課題はまた、検出工程と遷移工程とを備える通信方法によって解決され得る。検出工程は、当該無線基地局と他の無線基地局との間における電波干渉を検出する。遷移工程は、検出工程によって電波干渉が検出された場合（つまり、当該無線基地局と他の無線基地局との間に電波干渉が発生していると検出された場合）に、当該無線基地局と無線通信を行っている無線端末の状態を、当該無線基地局と前記無線端末との間の通信コネクションを確立したままで当該無線基地局と前記無線端末との間で使用される周波数を切り替える切替状態に遷移させる。
【発明の効果】
【００１３】
以上説明した無線基地局及び通信方法によれば、電波干渉が検出された場合には、無線基地局と無線通信を行っている無線端末の状態（言い換えれば、無線基地局と無線端末との間の無線通信の状態）を切替状態に遷移させることができる。このため、電波干渉が検出された場合には、無線基地局と無線端末との間の通信コネクションを確立したまま、無線基地局と無線端末との間における周波数を切り替えることができる。従って、無線基地局と無線端末とが無線通信を行っている場合であっても、電波干渉を好適に抑制することができる。
【００１４】
更に、無線基地局と無線端末との間の通信コネクションを確立したまま周波数を切り替える（言い換えれば、電波干渉を抑制する）ことができる。このため、周波数を切り替えるたびに通信コネクションの確立に必要な初期動作を逐次行わなくともよい。このため、無線基地局と無線端末との間の通信コネクションを一旦切断した後に周波数を切り替える（或いは、電波干渉を抑制する）無線基地局又は通信方法と比較して、電波干渉を抑制する動作に要する処理負荷ないしは処理時間を軽減することができる。
【図面の簡単な説明】
【００１５】
【図１】本実施形態に係る無線通信システムの基本構成の一例を示すブロック図である。
【図２】ＨＮＢの基本構成の一例を示すブロック図である。
【図３】ＵＥの基本構成の一例を示すブロック図である。
【図４】本実施形態に係る無線通信システムの動作の流れを示すフローチャートである。
【図５】電波干渉測定部により測定された他のＨＮＢとの間の電波干渉の程度を示す測定データのデータ構造の一例を示す表である。
【図６】無線通信システムの動作が行われる構成例を示すブロック図である。
【図７】無線通信システムの動作の流れを示すシーケンス図である。
【発明を実施するための最良の形態】
【００１６】
以下、本発明を実施するための最良の形態を、図面に基づいて説明する。
【００１７】
（１）システム構成図
初めに、図１を参照して、本実施形態に係る無線通信システム１の基本構成について説明する。ここに、図１は、本実施形態に係る無線通信システム１の基本構成の一例を示すブロック図である。
【００１８】
図１に示すように、本実施形態に係る無線通信システム１は、ＮＢ（ＮｏｄｅＢ）１００ａと、ＮＢ１００ｂと、ＨＮＢ（Ｈｏｍｅ  ＮｏｄｅＢ）２００ａと、ＨＮＢ２００ｂと、ＨＮＢ２００ｃと、ＵＥ（Ｕｓｅｒ  Ｅｑｕｉｐｍｅｎｔ）３００ａと、ＵＥ３００ｂとを備えている。尚、図１に示すＮＢの数、ＨＮＢの数およびＵＥの数は一例であって、ＮＢの数、ＨＮＢの数およびＵＥの数が図１に示す個数に限定されることはない。また、以下では、説明の便宜上、ＮＢ１００ａ及びＮＢ１００ｂを区別することなく説明する場合には、“ＮＢ１００”と称して説明を進める。同様に、ＨＮＢ２００ａ、ＨＮＢ２００ｂ及びＨＮＢ２００ｃを区別することなく説明する場合には、“ＨＮＢ２００”と称して説明を進める。同様に、ＵＥ３００ａ及びＵＥ３００ｂを区別することなく説明する場合には、“ＵＥ３００”と称して説明を進める。
【００１９】
ＮＢ１００は、セル半径が概ね数ｋｍから十数ｋｍないしは数十ｋｍとなるマクロセル１１０をカバーする無線基地局（いわゆる、マクロ無線基地局）である。例えば、図１に示す例では、ＮＢ１００ａは、マクロセル１１０ａをカバーする無線基地局であり、ＮＢ１００ｂは、マクロセル１１０ｂをカバーする無線基地局である。ＮＢ１００は、自身がカバーするマクロセル１１０中に位置するＵＥ３００との間で無線通信を行う。つまり、ＮＢ１００は、自身がカバーするマクロセル１１０中に位置するＵＥ３００との間で通信コネクションを確立すると共に、ＵＥ３００に対してデータの送受信を行う。また、各ＮＢ１００がカバーするマクロセル１１０は、その一部が他のマクロセル１１０の一部又は全部と重なるように構成されていてもよいし、その全部が他のマクロセル１１０と重ならないように構成されていてもよい。図１に示す例では、マクロセル１１０ａの一部が、当該マクロセル１１０ａに隣接するマクロセル１１０ｂの一部と重なる例が示されている。
【００２０】
ＨＮＢ２００は、セル半径が概ね数ｍから十数ｍないしは数十ｍとなるフェムトセル２１０をカバーする無線基地局（いわゆる、ホーム無線基地局）である。例えば、図１に示す例では、ＨＮＢ２００ａは、フェムトセル２１０ａをカバーする無線基地局であり、ＨＮＢ２００ｂは、フェムトセル２１０ｂをカバーする無線基地局であり、ＨＮＢ２００ｃは、フェムトセル２１０ｃをカバーする無線基地局である。ＨＮＢ２００は、自身がカバーするフェムトセル２１０中に位置するＵＥ３００との間で無線通信を行う。つまり、ＨＮＢ２００は、自身がカバーするフェムトセル２１０中に位置するＵＥ３００との間で通信コネクションを確立すると共に、実際に無線通信を行う。また、各ＨＮＢ２００がカバーするフェムトセル２１０は、その一部が他のフェムトセル２１０の一部又は全部と重なるように構成されていてもよいし、その全部が他のフェムトセル２１０と重ならないように構成されていてもよい。また、各ＨＮＢ２００がカバーするフェムトセル２１０は、その一部がマクロセル１１０の一部又は全部と重なるように構成されていてもよいし、その全部がマクロセル１１０と重ならないように構成されていてもよい。図１に示す例では、フェムトセル２１０ａ及びフェムトセル２１０ｂの夫々の全部がマクロセル１１０ａと重なり、フェムトセル２１０ｃの全部がマクロセル１１０ｂと重なり、フェムトセル２１０ａの一部が、当該フェムトセル２１０ａに隣接するフェムトセル２１０ｂの一部と重なる例が示されている。
【００２１】
ＵＥ３００は、自身が位置するマクロセル１１０に対応するＮＢ１００との間でコネクションを確立すると共に、データの送受信を行う移動端末である。また、ＵＥ３００は、自身が位置するフェムトセル２１０に対応するＨＮＢ２００との間でコネクションを確立すると共に、データの送受信を行う移動端末である。ＵＥ３００は、ＮＢ１００やＨＮＢ２００（更には、ＮＢ１００やＨＮＢ２００の上位に接続される不図示の上位局等）を介して、各種サービスないしはアプリケーション（例えば、メールサービスや、音声通話サービスや、ＷＥＢ閲覧サービスや、パケット通信サービス等）を利用することができる。このようなＵＥ３００として、例えば携帯電話や、ＰＤＡ（Personal Digital Assistant）や、その他無線通信機能を有する各種情報機器等が一例としてあげられる。つまり、本実施形態に係る無線通信システム１は、例えば携帯電話システムや移動体通信システム等が一例としてあげられる。
【００２２】
尚、図１に示す例では、セル半径が概ね数ｋｍから十数ｋｍないしは数十ｋｍとなるマクロセル１１０をカバーするＮＢ１００及びセル半径が概ね数ｍから十数ｍないしは数十ｍとなるフェムトセル２１０をカバーするＨＮＢ２００が例示されているが、ＮＢ１００及びＨＮＢ２００に加えて、セル半径が概ね数百ｍから１ｋｍとなるマイクロセルをカバーする無線基地局を配置してもよい。また、セル半径が上述したサイズ以外のセルをカバーする各種無線基地局を配置してもよい。
【００２３】
（２）ブロック図
続いて、図２及び図３を参照して、本実施形態に係る無線通信システム１が備えるＨＮＢ２００及びＵＥ３００の夫々の基本構成について説明する。
【００２４】
（２−１）ＨＮＢ２００のブロック図
初めに、図２を参照して、ＨＮＢ２００の基本構成について説明する。ここに、図２は、ＨＮＢ２００の基本構成の一例を示すブロック図である。
【００２５】
図２に示すように、ＨＮＢ２００は、その要部に着目すれば、無線送受信処理部２０１と、電波干渉測定部２０２と、制御部２０３と、メモリ２０４とを備えている。
【００２６】
無線送受信処理部２０１は、制御部２０３等において生成されたデータをＵＥ３００に対して送信する。また、無線送受信処理部２０１は、ＵＥ３００から送信されるデータを受信する。このため、無線送受信処理部２０１は、例えば、データの符号化（例えば、畳込み符号やターボ符号等の誤り訂正符号化）処理又は復号化処理等を含むベースバンド処理を行うベースバンド処理回路や、ＱＰＳＫ変調や１６ＱＡＭ変調等の偏重処理を行う変調回路や、復調処理を行う復調回路や、送信電力又は受信電力を調整するＲＦ回路や、電波を送信又は受信するアンテナ等を含む。
【００２７】
電波干渉測定部２０２は、「検出手段」の一実施例を構成しており、他のＨＮＢ２００から受ける電波干渉の程度を測定する。より具体的には、電波干渉測定部２０２は、他のＨＮＢ２００から発せられている電波強度（言い換えれば、干渉電力値）を定期的に又は非定期的に測定する。このため、無線送受信処理部２０１は、他のＨＮＢ２００から発せられている無線電波を受信可能に構成されていることが好ましい。
【００２８】
制御部２０３は、ＨＮＢ２００全体の動作を制御する。制御部２０３としては、例えば所定のファームウェアに基づいて動作するＣＰＵ（Ｃｅｎｔｒａｌ  Ｐｒｏｃｅｓｓｏｒ  Ｕｎｉｔ）等が一例としてあげられる。
【００２９】
制御部２０３は、電波干渉制御部２０５と、周波数切替制御部２０６と、呼処理制御部２０７とを備えている。このような処理ブロックは、例えば制御部２０３の動作を規定するファームウェアの一部のプログラムの動作として実現されてもよいし、或いはファームウェアから独立したプログラムの動作として実現されてもよい。或いは、電波干渉制御部２０５、周波数切替制御部２０６及び呼処理制御部２０７は、制御部２０３とは独立した１つの回路として実現されてもよい。
【００３０】
電波干渉制御部２０５は、「検出手段」の一実施例を構成しており、電波干渉測定部２０２において測定された測定結果に基づいて、ＨＮＢ２００と他のＨＮＢ２００との間に電波干渉が発生しているか否かを判定する。また、電波干渉制御部２０５は、ＨＮＢ２００と他のＨＮＢ２００との間に電波干渉が発生していると判定した場合には、電波干渉が発生している旨のメッセージを、周波数切替制御部２０６及び呼処理制御部２０７の夫々に対して送信する。尚、電波干渉が発生しているか否かを判定する動作の詳細については、後に詳述する（図４及び５等参照）。
【００３１】
尚、電波干渉制御部２０５は、ＨＮＢ２００と他のＨＮＢ２００との間に電波干渉が発生しているか否かを判定することに加えて又は代えて、ＨＮＢ２００とＮＢ１００との間に電波干渉が発生しているか否かを判定してもよい。電波干渉制御部２０５がＨＮＢ２００とＮＢ１００との間に電波干渉が発生しているか否かを判定する場合には、電波干渉測定部２０２は、他のＨＮＢ２００から受ける電波干渉の程度を測定することに加えて又は代えて、ＮＢ１００から受ける電波干渉の程度を測定することが好ましい。
【００３２】
周波数切替制御部２０６は、ＨＮＢ２００が使用する周波数を決定する。周波数切替制御部２０６は、電波干渉制御部２０５により電波干渉が発生していると判定された場合には、ＨＮＢ２００が使用する周波数を切り替えるために、切替後の周波数及び周波数の切替タイミングを決定する。また、周波数切替制御部２０６は、切替後の周波数及び周波数の切替タイミングの夫々を、呼処理制御部２０７に通知する。
【００３３】
呼処理制御部２０７は、「遷移手段」の一実施例を構成しており、ＨＮＢ２００とＵＥ３００との間の呼処理全般を制御する。呼処理制御部２０７は、電波干渉制御部２０５により電波干渉が発生していると判定された場合には、ＵＥ３００の状態を後述するＣＥＬＬ＿ＰＣＨ状態又はＣＥＬＬ＿ＦＡＣＨ状態に遷移させるためのメッセージを、無線送受信処理部２０１を介してＵＥ３００に対して送信する。このとき、呼処理制御部２０７は、ＵＥ３００に送信されるメッセージ中に、周波数切替制御部２０６において決定された切替後の周波数及び周波数の切替タイミングの夫々を含める。
【００３４】
メモリ２０４は、ＨＮＢ２００内部で使用するデータを一時的に格納する記憶領域を含んでいる。また、メモリ２０４は、ＨＮＢ２００としての動作を行うためのプログラム（即ち、ファームウェア）が格納される記憶領域等を含んでいてもよい。このようなメモリ２０４としては、例えばＲＡＭ（Random Access Memory）等の半導体メモリや、その他の各種記録媒体が一例としてあげられる。
【００３５】
（２−２）ＵＥ３００のブロック図
続いて、図３を参照して、ＵＥ３００の基本構成について説明する。ここに、図３は、ＵＥ３００の基本構成の一例を示すブロック図である。
【００３６】
図３に示すように、ＵＥ３００は、その要部に着目すれば、無線送受信処理部３０１と、通信品質測定部３０２と、制御部３０３と、メモリ３０４とを備えている。
【００３７】
無線送受信処理部３０１は、上述した無線送受信処理部２０１と同様の構成を有しており、制御部３０３等において生成されたデータをＮＢ１００又はＨＮＢ２００に対して送信すると共に、ＮＢ１００又はＨＮＢ２００から送信されるデータを受信する。このため、無線送受信処理部３０１は、上述した無線送受信処理部２０１と同様に、例えば、ベースバンド処理回路や、変調回路や、復調回路や、ＲＦ回路や、アンテナ等を含む。
【００３８】
通信品質測定部３０２は、ＵＥ３００自身とＨＮＢ２００との間の無線通信品質を測定する。
【００３９】
制御部３０３は、ＵＥ３００全体の動作を制御する。制御部３０３としては、例えば所定のファームウェアに基づいて動作するＣＰＵ等が一例としてあげられる。
【００４０】
制御部３０３は、周波数切替制御部３０６と、呼処理制御部３０７とを備えている。このような処理ブロックは、例えば制御部３０３の動作を規定するファームウェアの一部のプログラムの動作として実現されてもよいし、或いはファームウェアから独立したプログラムの動作として実現されてもよい。或いは、周波数切替制御部３０６及び呼処理制御部３０７は、制御部３０３とは独立した１つの回路として実現されてもよい。
【００４１】
周波数切替制御部３０６は、ＵＥ３００が使用する周波数を決定する。周波数切替制御部３０７は、周波数を切り替える旨のメッセージ（例えば、上述した切替後の周波数及び周波数の切替タイミングを含むメッセージ）がＨＮＢ２００から送信された場合には、当該指示中に含まれる切替後の周波数を、ＵＥ３００が使用する周波数として決定する。
【００４２】
呼処理制御部３０７は、ＨＮＢ２００とＵＥ３００との間の呼処理全般及びＮＢ１００とＵＥ３００との間の呼処理全般を制御する。呼処理制御部３０７は、ＣＥＬＬ＿ＰＣＨ状態又はＣＥＬＬ＿ＦＡＣＨ状態に遷移させるためのメッセージをＨＮＢ２００から受信した場合には、ＣＥＬＬ＿ＰＣＨ状態又はＣＥＬＬ＿ＦＡＣＨ状態に遷移するようにＵＥ３００を制御する。加えて、当該メッセージに含まれる切替後の周波数及び周波数の切替タイミングを、周波数切替制御部３０６に対して通知する。
【００４３】
メモリ３０４は、ＵＥ３００内部で使用するデータを一時的に格納する記憶領域を含んでいる。また、メモリ３０４は、ＵＥ３００としての動作を行うためのプログラム（即ち、ファームウェア）が格納される記憶領域等を含んでいてもよい。このようなメモリ３０４としては、例えばＲＡＭ（Random Access Memory）等の半導体メモリや、その他の各種記録媒体が一例としてあげられる。
【００４４】
（３）動作説明
続いて、図４を参照して、本実施形態に係る無線通信システム１の動作の流れについて説明する。ここに、図４は、本実施形態に係る無線通信システム１の動作の流れを示すフローチャートである。
【００４５】
ここでは、他のＨＮＢ２００（例えば、ＨＮＢ２００ａ）との間に電波干渉が発生しているか否かを一のＨＮＢ２００（例えば、ＨＮＢ２００ｂ）が判定すると共に、電波干渉が発生していると判定された場合の一のＨＮＢ２００が行う動作の流れについて説明する。また、以下の説明では、無線通信システム１が３Ｇ（3rd Generation：第３世代移動通信システムであり、言い換えればＵＭＴＳ（Universal Mobile Telecommunication System））規格に準拠しており且つＨＮＢ２００とＵＥ３００との間でパケット通信が行われる場合の例について説明する。
【００４６】
図４に示すように、まずＨＮＢ２００が備える電波干渉測定部２０２は、他のＨＮＢ２００との間の電波干渉の程度（例えば、他のＨＮＢ２００の電波強度）を定期的に又は非定期的に測定する（ステップＳ１１）。測定された他のＨＮＢ２００との間の電波干渉の程度を示す測定データ（つまり、測定結果）は、電波干渉測定部２０２の動作により、メモリ２０４に格納される（ステップＳ１２）。但し、測定された他のＨＮＢ２００との間の電波干渉の程度を示す測定データは、電波干渉測定部２０２の動作により、電波干渉制御部２０５に直接通知されてもよい。尚、他のＨＮＢ２００との間の電波干渉の程度が逐次測定されるため、メモリ２０４に格納される測定データは、電波干渉の程度の測定の都度更新される（ステップＳ１２）。
【００４７】
ここで、図５を参照して、電波干渉測定部２０２により測定された他のＨＮＢ２００との間の電波干渉の程度を示す測定データの一例について説明する。ここに、図５は、電波干渉測定部２０２により測定された他のＨＮＢ２００との間の電波干渉の程度を示す測定データのデータ構造の一例を示す表である。
【００４８】
図５に示すように、測定データは、周波数ｆとその周波数ｆの電波強度（干渉電力値）Ｐとが対応付けられたデータベース構造を有している。より具体的には、測定データは、電波干渉測定部２０２において電波強度が測定された周波数ｆ（ｆ１、ｆ２、・・・、ｆｎ）と測定された電波強度Ｐ（Ｐ１、Ｐ２、・・・、Ｐｎ）とが周波数ｆ毎に対応付けられたデータベース構造を有している。
【００４９】
再び図４において、続いて、ＨＮＢ２００が備える電波干渉制御部２０５は、電波干渉測定部２０２により測定された他のＨＮＢ２００との間の電波干渉の程度を示す測定データに基づいて、他のＨＮＢ２００との間に電波干渉が発生しているか否かを判定する（ステップＳ１３）。具体的には、例えば、電波干渉制御部２０５は、ＨＮＢ２００自身が使用している周波数に対応する電波強度（つまり、測定データ中の電波強度）が所定の閾値を超えた場合に、他のＨＮＢ２００との間に電波干渉が発生していると判定してもよい。より具体的には、ＨＮＢ２００自身が周波数ｆ１を使用しているとすると、電波干渉制御部２０５は、測定データ中に含まれる周波数ｆ１の電波強度Ｐ１が所定の閾値を超えた場合に、他のＨＮＢ２００との間に電波干渉が発生していると判定してもよい。
【００５０】
以上の説明は、他のＨＮＢ２００が使用している周波数の電波強度をＨＮＢ２００自身が直接測定することにより、他のＨＮＢ２００との間に電波干渉が発生しているか否かをＨＮＢ２００が判定する場合の動作の説明である。しかしながら、ＵＥ３００からＨＮＢ２００に対して通知されるメッセージに基づいて、他のＨＮＢ２００との間に電波干渉が発生しているか否かをＨＮＢ２００が判定してもよい。この場合の動作について以下に説明する。
【００５１】
まず、ＵＥ３００からＨＮＢ２００に対して、電波干渉に関連したメッセージが送信される（ステップＳ２１）。例えば、ＵＥ３００が備える通信品質測定部３０２の動作によって無線通信品質の劣化が検出された場合には、ＵＥ３００が備える呼処理制御部３０７の動作により、当該無線通信品質の劣化が発生している旨のメッセージ（通信品質メッセージ）がＨＮＢ２００に対して送信される。
【００５２】
電波干渉に関連したメッセージがＨＮＢ２００によって受信された場合には、ＨＮＢ２００側は、ステップＳ１１及びステップＳ１２の動作を行う。これにより、ＨＮＢ２００のメモリ２０４に格納されている測定データが最新の状態に更新される。その後、ＨＮＢ２００が備える電波干渉制御部２０５は、最新の状態に更新された測定データに基づいて、他のＨＮＢ２００との間に電波干渉が発生しているか否かを判定する（ステップＳ１３）。この場合、ＨＮＢ２００は、他のＨＮＢ２００の電波干渉の程度（例えば、他のＨＮＢ２００の電波強度）を定期的に測定しなくともよい。従って、ＨＮＢ２００の処理負荷の低減につながるという利点がある。
【００５３】
尚、他のＨＮＢ２００が使用している周波数の電波強度をＨＮＢ２００自身が直接測定することにより電波干渉が発生しているか否かを判定する動作と、ＵＥ３００からＨＮＢ２００に対して通知されるメッセージに基づいて電波干渉が発生しているか否かを判定する動作の双方が共に行われなくてもよい。例えば、他のＨＮＢ２００が使用している周波数の電波強度をＨＮＢ２００が使用している周波数の電波強度をＨＮＢ２００自身が直接測定することにより電波干渉が発生しているか否かを判定する動作を行う一方で、ＵＥ３００からＨＮＢ２００に対して通知されるメッセージに基づいて電波干渉が発生しているか否かを判定する動作を行わなくともよい。この場合には、ＵＥ３００は、通信品質測定部３０２を備えていなくともよい。同様に、例えば、他のＨＮＢ２００が使用している周波数の電波強度をＨＮＢ２００が使用している周波数の電波強度をＨＮＢ２００自身が直接測定することにより電波干渉が発生しているか否かを判定する動作を行わない一方で、ＵＥ３００からＨＮＢ２００に対して通知されるメッセージに基づいて電波干渉が発生しているか否かを判定する動作を行ってもよい。
【００５４】
また、１つのＨＮＢ２００がカバーするフェムトセル２１０中に複数のＵＥ３００が存在することもあり得る。従って、ＨＮＢ２００は、複数のＵＥ３００から電波干渉に関連するメッセージを同時に又は相前後して受信することもあり得る。この場合には、ＨＮＢ２００は、電波干渉に関連するメッセージを複数のＵＥ３００から同時に又は相前後して受信した後に、他のＨＮＢ２００との間の電波干渉の程度の測定（ステップＳ１１）及び測定データの更新（ステップＳ１２）を行わなくともよい。つまり、ＨＮＢ２００は、電波干渉に関連するメッセージを複数のＵＥ３００から同時に又は相前後して受信した後に、前回測定された測定データに基づいて、他のＨＮＢ２００との間に電波干渉が発生しているか否かを判定してもよい。このように構成すれば、電波干渉が発生しているか否かを好適に判定しつつも、測定動作の省略に伴うＨＮＢ２００における処理負荷の低減を図ることができる。
【００５５】
更に、他のＨＮＢ２００との間の電波干渉の程度の測定（ステップＳ１１）及び測定データの更新（ステップＳ１２）に相対的に多くの時間を要する場合にも、ＨＮＢ２００は、他のＨＮＢ２００との間の電波干渉の程度の測定（ステップＳ１１）及び測定データの更新（ステップＳ１２）を行わなくともよい。つまり、他のＨＮＢ２００との間の電波干渉の程度の測定（ステップＳ１１）及び測定データの更新（ステップＳ１２）に相対的に多くの時間を要することが予想される場合には、ＨＮＢ２００は、前回測定された測定データに基づいて、他のＨＮＢ２００との間に電波干渉が発生しているか否かを判定してもよい。このように構成すれば、測定動作の省略に伴うＨＮＢ２００における処理負荷の低減を図ることができる。
【００５６】
ステップＳ１３における判定の結果、他のＨＮＢ２００との間に電波干渉が発生していないと判定された場合には（ステップＳ１３：Ｎｏ）、再度ステップＳ１１へと戻り、電波干渉が発生しているか否かの判定動作が継続される。
【００５７】
一方、ステップＳ１３における判定の結果、他のＨＮＢ２００との間に電波干渉が発生していると判定された場合には（ステップＳ１３：Ｙｅｓ）、ＨＮＢ２００が備える周波数切替制御部２０６は、ＨＮＢ２００自身が使用する周波数を切り替えることを決定する（ステップＳ１４）。このとき、周波数切替制御部２０６は、メモリ２０４に格納された測定データに基づいて、切替後の周波数を決定する。例えば、周波数切替制御部２０６は、電波強度が小さい（つまり、電波干渉が最も小さい）周波数を、切替後の周波数として決定する。同時に、周波数切替制御部２０６は、周波数を切り替えるタイミングを決定する。
【００５８】
その後、ＨＮＢ２００が備える呼処理制御部２０７は、当該ＨＮＢ２００とパケット通信を行っているＵＥ３００の状態（言い換えれば、当該ＨＮＢ２００とＵＥ３００との間で行われているパケット通信の状態）を、ＣＥＬＬ＿ＰＣＨ状態又はＣＥＬＬ＿ＦＡＣＨ状態に遷移させるための制御を行なう（ステップＳ１５）。より具体的には、呼処理制御部２０７は、ＵＥ３００に対して、ＣＥＬＬ＿ＰＣＨ状態又はＣＥＬＬ＿ＦＡＣＨ状態に遷移する旨の指示を含むＲＲＣ（Radio Resource Control）：ＰＨＹＳＩＣＡＬ  ＣＨＡＮＮＥＬ  ＲＥＣＯＮＦＩＧＵＲＡＴＩＯＮメッセージを送信する。このとき、呼処理制御部２０７は、ＲＲＣ：ＰＨＹＳＩＣＡＬ  ＣＨＡＮＮＥＬ  ＲＥＣＯＮＦＩＧＵＲＡＴＩＯＮメッセージ中に、ステップＳ１４において決定された切替後の周波数及び周波数を切り替えるタイミングの夫々を示す情報を付加する。つまり、呼処理制御部２０７は、切替後の周波数及び周波数を切り替えるタイミングが指定されたＲＲＣ：ＰＨＹＳＩＣＡＬ  ＣＨＡＮＮＥＬ  ＲＥＣＯＮＦＩＧＵＲＡＴＩＯＮメッセージをＵＥ３００に対して送信することで、ＵＥ３００の状態をＣＥＬＬ＿ＰＣＨ状態又はＣＥＬＬ＿ＦＡＣＨ状態に遷移させる。尚、切替後の周波数を示す情報は、ＲＲＣ：ＰＨＹＳＩＣＡＬ  ＣＨＡＮＮＥＬ  ＲＥＣＯＮＦＩＧＵＲＡＴＩＯＮメッセージ中の“ＩＥ：Ｆｒｅｑｕｅｎｃｙ  ｉｎｆｏ”フィールド中に付加される。また、周波数を切り替えるタイミングは、ＲＲＣ：ＰＨＹＳＩＣＡＬ  ＣＨＡＮＮＥＬ  ＲＥＣＯＮＦＩＧＵＲＡＴＩＯＮメッセージ中の“ＩＥ：Ａｃｔｉｖａｔｉｏｎ  ｔｉｍｅ”フィールド中に付加される。
【００５９】
その後、ＨＮＢ２００が備える周波数切替制御部２０６は、ステップＳ１４において決定されたタイミングで、ＨＮＢ２００自身が使用する周波数を切替後の周波数に切り替える（ステップＳ１６）。その後、ＨＮＢ２００は、切替後の周波数を用いてＵＥ３００とのパケット通信を継続する（ステップＳ１７）。
【００６０】
一方で、ＲＲＣ：ＰＨＹＳＩＣＡＬ  ＣＨＡＮＮＥＬ  ＲＥＣＯＮＦＩＧＵＲＡＴＩＯＮメッセージを受信したＵＥ３００が備える呼処理制御部３０７は、当該メッセージの受信を確認するためのＲＲＣ：ＰＨＹＳＩＣＡＬ  ＣＨＡＮＮＥＬ  ＲＥＣＯＮＦＩＧＵＲＡＴＩＯＮ  ＣＯＭＰＬＥＴＥメッセージをＨＮＢ２００に対して送信する。その後、ＵＥ３００が備える周波数切替制御部３０６は、ステップＳ１４において決定されたタイミングで、自身が使用する周波数を切替後の周波数に切り替える（ステップＳ２２）。つまり、周波数切替制御部３０６は、ＲＲＣ：ＰＨＹＳＩＣＡＬ  ＣＨＡＮＮＥＬ  ＲＥＣＯＮＦＩＧＵＲＡＴＩＯＮメッセージに含まれるタイミングで、自身が使用する周波数を、ＲＲＣ：ＰＨＹＳＩＣＡＬ  ＣＨＡＮＮＥＬ  ＲＥＣＯＮＦＩＧＵＲＡＴＩＯＮメッセージに含まれる周波数に切り替える。同時に、ＵＥ３００が備える呼処理制御部３０７は、切替後の周波数を用いて、ＲＲＣ：ＣＥＬＬ  ＵＰＤＡＴＥメッセージをＨＮＢ２００に対して送信する。その後、ＵＥ３００が備える呼処理制御部３０７は、ＲＲＣ：ＣＥＬＬ  ＵＰＤＡＴＥメッセージに対する応答メッセージであるＲＲＣ：ＣＥＬＬ  ＵＰＤＡＴＥ  ＣＯＮＦＩＲＭメッセージをＨＮＢ２００より受信する。その結果、ＵＥ３００は、ＵＥ３００自身の状態をＣＥＬＬ＿ＰＣＨ状態又はＣＥＬＬ＿ＦＡＣＨ状態に切り替え（ステップＳ２３）、ＨＮＢ２００とのパケット通信を継続する（ステップＳ２４）。
【００６１】
このような無線通信システム１の動作について、図６及び図７を参照しながらより具体的に説明する。ここに、図６は、無線通信システム１の動作が行われる構成例を示すブロック図であり、図７は、無線通信システム１の動作の流れを示すシーケンス図である。
【００６２】
図６に示すように、以下の説明は、(i)ＨＮＢ２００ａがカバーするフェムトセル２１０ａの一部とＨＮＢ２００ｂがカバーするフェムトセル２１０ｂの一部とが重なり、(ii)ＨＮＢ２００ａがカバーするフェムトセル２１０ａの一部とＨＮＢ２００ｂがカバーするフェムトセル２１０ｂの一部とが重なる位置にＵＥ３００ａが配置されており、(iii)ＨＮＢ２００ａ及びＨＮＢ２００ｂの双方が周波数ｆ１を使用しており、且つ(iv)ＵＥ３００ａがＨＮＢ２００ｂと周波数ｆ１を用いてパケット通信を行っている場合の例について説明する。
【００６３】
図７に示すように、ＨＮＢ２００ｂは、ＨＮＢ２００ａとの間に電波干渉が発生していると判定する。ここで、ＨＮＢ２００ｂは、自身が使用する周波数を、電波干渉が発生している周波数ｆ１から、電波干渉が少ない又は発生していない周波数ｆに切り替えることを決定するものとする。この場合、ＨＮＢ２００ｂは、当該ＨＮＢ２００ｂとパケット通信を行っているＵＥ３００ａに対して、切替後の周波数ｆ３及び周波数ｆ３に切り替えるタイミングＴを含むＲＲＣ：ＰＨＹＳＩＣＡＬ  ＣＨＡＮＮＥＬ  ＲＥＣＯＮＦＩＧＵＲＡＴＩＯＮメッセージを送信する。
【００６４】
ＲＲＣ：ＰＨＹＳＩＣＡＬ  ＣＨＡＮＮＥＬ  ＲＥＣＯＮＦＩＧＵＲＡＴＩＯＮメッセージを受信したＵＥ３００ａは、応答メッセージとして、ＲＲＣ：ＰＨＹＳＩＣＡＬ  ＣＨＡＮＮＥＬ  ＲＥＣＯＮＦＩＧＵＲＡＴＩＯＮ  ＣＯＭＰＬＥＴＥメッセージをＨＮＢ２００ｂに対して送信する。その後、ＵＥ３００ａは、ＲＲＣ：ＰＨＹＳＩＣＡＬ  ＣＨＡＮＮＥＬ  ＲＥＣＯＮＦＩＧＵＲＡＴＩＯＮメッセージによって指定されたタイミングＴで、自身が使用する周波数を、切替前の周波数ｆ１から切替後の周波数ｆ３に切り替える。周波数の切替と同時に又は周波数の切替の後に、ＵＥ３００ａは、ＨＮＢ２００ｂに対して、ＲＲＣ：ＣＥＬＬ  ＵＰＤＡＴＥメッセージを送信する。ＲＲＣ：ＣＥＬＬ  ＵＰＤＡＴＥメッセージを受信したＨＮＢ２００ｂは、応答メッセージとして、ＲＲＣ：ＣＥＬＬ  ＵＰＤＡＴＥ  ＣＯＮＦＩＲＭメッセージをＵＥ３００ａに対して送信する。その後、ＲＲＣ：ＣＥＬＬ  ＵＰＤＡＴＥ  ＣＯＮＦＩＲＭメッセージを受信したＵＥ３００は、ＵＥ３００自身の状態を、ＣＥＬＬ＿ＰＣＨ状態又はＣＥＬＬ＿ＦＡＣＨ状態へと遷移させる。
【００６５】
その後、ＨＮＢ２００ｂとＵＥ３００ａとは、切替後の周波数ｆ３を用いてパケット通信を継続する。従って、周波数ｆ１を使用することで発生していた電波干渉の影響を受けることなく、好適なパケット通信を行うことができる。
【００６６】
尚、その後は、ＵＥ３００の状態を、パケット通信のデータ量に応じて再度通信内容に応じた状態に復帰させてもよい。例えば、ＵＥ３００からＨＮＭ２００に向けて送信するパケットのデータ量が相対的に多い場合には、ＵＥ３００からＲＲＣ：ＣＥＬＬ  ＵＰＤＡＴＥメッセージ（ＣＥＬＬ＿ＰＣＨ状態）又はＲＲＣ：ＭＥＡＳＵＲＥＭＥＮＴ  ＲＥＰＯＲＴメッセージ（ＣＥＬＬ＿ＦＡＣＨ）を送信することで、所望の通信レートを実現可能な状態に遷移させてもよい。或いは、ＨＮＢ３００からＵＥ３００に向けて送信するパケットのデータ量が相対的に多い場合には、ＲＲＣ：ＰＨＹＳＩＣＡＬ  ＣＨＡＮＮＥＬ  ＲＥＣＯＮＦＩＧＵＲＡＴＩＯＮメッセージを送信することで、所望の通信レートを実現可能な状態に遷移させてもよい。
【００６７】
以上説明したように、本実施形態に係る無線通信システム１によれば、電波干渉が検出された場合には、ＨＮＨ２００とパケット通信を行っているＵＥ３００の状態（言い換えれば、ＨＮＢ２００とＵＥ３００との間のパケット通信の状態）を、ＣＥＬＬ＿ＰＣＨ状態又はＣＥＬＬ＿ＦＡＣＨ状態に遷移させることができる。このため、電波干渉が検出された場合には、ＨＮＢ２００とＵＥ３００との間の通信コネクションを確立したまま、ＨＮＢ２００とＵＥ３００との間における周波数を切り替えることができる。このため、ＨＮＢ２００とＵＥ３００とがパケット通信を行っている場合であっても、通信コネクションを確立したまま電波干渉による悪影響を好適に抑制することができる。
【００６８】
更に、本実施形態に係る無線通信システム１によれば、ＨＮＢ２００とＵＥ３００との間の通信コネクションを確立したまま電波干渉による悪影響を抑制するための対策を行うことができる。言い換えれば、本実施形態に係る無線通信システム１によれば、ＨＮＢ２００とＵＥ３００との間の通信コネクションを切断することなく電波干渉による悪影響を抑制するための対策を行うことができる。このため、電波干渉による悪影響を抑制するための対策を行うたびに通信コネクションの確立に必要な初期動作を逐次行わなくともよい。従って、ＨＮＢ２００とＵＥ３００との間の通信コネクションを一旦切断した後に電波干渉による悪影響を抑制するための対策を行うＨＮＢと比較して、電波干渉を抑制する動作に要する処理負荷ないしは処理時間を軽減することができる。
【００６９】
また、本実施形態に係る無線通信システム１によれば、電波干渉による悪影響を抑制するための対策として、使用する周波数を切り替えている。このため、確実に電波干渉による悪影響を抑制するための対策を行うことができる。尚、使用する周波数を切り替える対策以外の対策によって、電波干渉による悪影響を抑制してもよいことは言うまでもない。
【００７０】
また、本実施形態に係る無線通信システム１によれば、３Ｇ規格において規格化されたメッセージ（つまり、ＲＲＣ：ＰＨＹＳＩＣＡＬ  ＣＨＡＮＮＥＬ  ＲＥＣＯＮＦＩＧＵＲＡＴＩＯＮメッセージ）及び規格化された状態（つまり、ＣＥＬＬ＿ＰＣＨ状態又はＣＥＬＬ＿ＦＡＣＨ状態）を用いて上述した構成を実現することができる。このため、ＨＮＢ２００やＵＥ３００の物理的な構成を殆ど又は全く変えることなく、上述した構成を実現することができる。従って、既存の無線通信システム１に対して、比較的容易に上述した無線通信システム１を適用することができる。
【００７１】
また、本実施形態に係る無線通信システム１によれば、ＲＲＣ：ＰＨＹＳＩＣＡＬ  ＣＨＡＮＮＥＬ  ＲＥＣＯＮＦＩＧＵＲＡＴＩＯＮメッセージ中に、切替後の周波数及び周波数を切り替えるタイミングを含めている。このため、ＨＮＢ２００とＵＥ３００との双方において、同期を取りながら（言い換えれば、同時に）使用する周波数を切り替えることができる。言い換えれば、ＨＮＢ２００とＵＥ３００との間での周波数の切替の時間的なズレ及び周波数そのもののズレの発生を抑制することができる。従って、周波数の切替の時間的なズレ及び周波数そのもののズレによって生じ得るＨＮＢ２００とＵＥ３００との間のパケット通信の切断ないしは断絶を好適に防ぐことができる。
【００７２】
尚、上述した説明では、３Ｇ規格に準拠した無線通信システム１について説明している。しかしながら、３Ｇ規格以外の規格に準拠した無線通信システムにおいても、ＵＥ３００の状態を３Ｇ規格におけるＣＥＬＬ＿ＰＣＨ状態やＣＥＬＬ＿ＦＡＣＨ状態と同等の状態に遷移させることで、上述した各種効果を享受することができる。或いは、ＵＥ３００の状態を３Ｇ規格におけるＣＥＬＬ＿ＰＣＨ状態やＣＥＬＬ＿ＦＡＣＨ状態と同等の状態に遷移させる動作と同様の結果が得られる動作を行うことで、上述した各種効果を享受することができる。つまり、任意の無線通信システムにおいても、電波干渉が検出された場合に、ＵＥ３００の状態を、ＨＮＢ２００との間の通信コネクションを確立したままで周波数を切り替える状態に遷移させる（或いは、電波干渉が検出された場合に、使用する周波数を切り替える）ことで、上述した各種効果を享受することができる。
【００７３】
また、上述した説明では、ＨＮＢ２００の構成及び動作を主に説明している。しかしながら、ＮＢ１００やその他の各種無線基地局に対して、ＨＮＢ２００の構成及び動作を適用してもよい。つまり、ＮＢ１００やその他の各種無線基地局がＨＮＢ２００と同様の構成を有すると共にＨＮＢ２００と同様の動作を行うように構成してもよい。このように構成すれば、ＨＮＢ２００に限らず、ＮＢ１００やその他の各種無線基地局がＵＥ３００とパケット通信している場合においても、電波干渉の発生による悪影響を好適に抑制することができる。
【００７４】
以上説明した実施形態に関して、更に以下の付記を開示する。
【００７５】
（付記１）
無線端末と無線通信を行う無線基地局であって、当該無線基地局と他の無線基地局との間における電波干渉を検出する検出手段と、前記電波干渉が検出された場合に、当該無線基地局と無線通信を行っている前記無線端末の状態を、当該無線基地局と前記無線端末との間の通信コネクションを確立したままで当該無線基地局と前記無線端末との間で使用される周波数を切り替える切替状態に遷移させる遷移手段とを備えることを特徴とする無線基地局。
【００７６】
（付記２）
前記遷移手段は、ＲＲＣ（Radio Resource Control）：Physical Channel Reconfigurationメッセージを前記無線端末に対して送信することで、当該無線基地局と無線通信を行っている前記無線端末の状態を前記切替状態に遷移させることを特徴とする付記１に記載の無線基地局。
【００７７】
（付記３）
前記遷移手段は、切り替え後の周波数及び当該周波数の切替タイミングの少なくとも一方を示す切替情報を含む前記ＲＲＣメッセージを前記無線端末に対して送信することを特徴とする付記２に記載の無線基地局。
【００７８】
（付記４）
前記遷移状態は、ＣＥＬＬ＿ＰＣＨ（Cell Paging Channel）状態又はＣＥＬＬ＿ＦＡＣＨ（Cell Forward Access Channel）状態であることを特徴とする付記１から３のいずれか一項に記載の無線基地局。
【００７９】
（付記５）
前記他の無線基地局が使用する周波数の電波強度を測定すると共に、測定の都度測定結果を更新する測定手段を更に備え、前記検出手段は、(i)前記電波強度の測定に要する時間が所定時間未満である場合には、前記測定手段が新たに測定した測定結果に基づいて、当該無線基地局と他の無線基地局との間における電波干渉を検出し、(ii)前記電波強度の測定に要する時間が所定時間以上である場合には、前回更新された前記測定手段の測定結果に基づいて、当該無線基地局と他の無線基地局との間における電波干渉を検出することを特徴とする付記１から４のいずれか一項に記載の無線基地局。
【００８０】
（付記６）
前記他の無線基地局が使用する周波数の電波強度を測定すると共に、測定の都度測定結果を更新する測定手段を更に備え、前記無線端末は、自身が行っている無線通信の品質の劣化を通知する劣化メッセージを当該無線基地局に送信し、前記検出手段は、(i)所定数未満の前記無線端末から前記劣化メッセージを受信した場合には、前記測定手段が新たに測定した測定結果に基づいて、当該無線基地局と他の無線基地局との間における電波干渉を検出し、(ii)前記所定数以上の前記無線端末から前記劣化メッセージを受信した場合には、前回更新された前記測定手段の測定結果に基づいて、当該無線基地局と他の無線基地局との間における電波干渉を検出することを特徴とする付記１から５のいずれか一項に記載の無線基地局。
【００８１】
（付記７）
無線端末と無線通信を行う無線基地局における通信方法であって、当該無線基地局と他の無線基地局との間における電波干渉を検出する検出工程と、前記電波干渉が検出された場合に、当該無線基地局と無線通信を行っている前記無線端末の状態を、当該無線基地局と前記無線端末との間の通信コネクションを確立したままで当該無線基地局と前記無線端末との間で使用される周波数を切り替える切替状態に遷移させる遷移工程とを備えることを特徴とする通信方法。
【符号の説明】
【００８２】
１  無線通信システム
１００  ＮＢ
２００  ＨＮＢ
２０１  無線送受信処理部
２０２  電波干渉測定部
２０３  制御部
２０４  メモリ
２０５  電波干渉制御部
２０６  周波数切替制御部
２０７  呼処理制御部
２１０  マクロセル
３００  ＨＮＢ
３０１  無線送受信処理部
３０２  電波干渉測定部
３０３  制御部
３０４  メモリ
３０６  周波数切替処理部
３０７  呼処理制御部
３１０  フェムトセル
【図１】
2011130096.tif 000003
【図２】
2011130096.tif 000004
【図３】
2011130096.tif 000005
【図４】
2011130096.tif 000006
【図５】
2011130096.tif 000007
【図６】
2011130096.tif 000008
【図７】
2011130096.tif 000009